(57)【要約】【課題】洗浄性能および乾燥性能の向上が期待できる洗濯乾燥機を提供する。【解決手段】全自動洗濯乾燥機は、洗濯物が収容される洗濯脱水槽と、洗濯脱水槽の底部に配置されるパルセータ２６と、パルセータ２６を駆動する駆動ユニットと、洗濯脱水槽内に温風を供給する乾燥装置と、を備える。パルセータ２６は、第１羽根部２００と、第２羽根部３００と、パルセータ２６の表面に第１羽根部２００が出現する第１形態と、パルセータ２６の表面に第２羽根部３００が出現する第２形態との間で切り替えを行う切替機構部５００と、を含む。【選択図】図３
2019115457.tif 000002
【特許請求の範囲】
【請求項１】
洗濯物が収容される洗濯槽と、
前記洗濯槽の底部に配置されるパルセータと、
前記パルセータを駆動する駆動部と、
前記洗濯槽内に温風を供給する温風供給部と、を備え、
前記パルセータは、
第１羽根部と、
第２羽根部と、
前記パルセータの表面に前記第１羽根部が出現する第１形態と、前記パルセータの表面に前記第２羽根部が出現する第２形態との間で切り替えを行う切替機構部と、を含む、
ことを特徴とする洗濯乾燥機。
【請求項２】
請求項１に記載の洗濯乾燥機において、
前記第１羽根部は、前記第２羽根部に比べて水流を発生させる作用に優れる形状を有し、
前記第２羽根部は、前記第１羽根部に比べて洗濯物を跳ね上げる作用に優れる形状を有する、
ことを特徴とする洗濯乾燥機。
【請求項３】
請求項１に記載の洗濯乾燥機において、
前記第１羽根部および前記第２羽根部は、前記パルセータの周方向に面する両側面に傾斜を有し、
前記第１羽根部の両側面の傾斜が前記第２羽根部の両側面の傾斜よりも急嵯である、
ことを特徴とする洗濯乾燥機。
【請求項４】
請求項１ないし３の何れか一項に記載の洗濯乾燥機において、
前記切替機構部は、第１の位置と第２の位置との間で移動が可能な切替部を含み、
前記切替部は、
前記切替部が前記第１の位置へ移動したときに前記第１羽根部に作用し、前記第１羽根部を前記パルセータの表面に出現させる第１作用部と、
前記切替部が前記第２の位置へ移動したときに前記第２羽根部に作用し、前記第２羽根部を前記パルセータの表面に出現させる第２作用部と、を有する、
ことを特徴とする洗濯乾燥機。
【請求項５】
請求項４に記載の洗濯乾燥機において、
前記パルセータの表面を構成する表面構成部を、さらに備え、
前記第１羽根部は、前記表面構成部の表面から突出する突出位置と突出しない非突出位置とに移動可能であり、
前記第２羽根部は、前記表面構成部の一部を構成し、平らな状態と山状に隆起する状態とに変形可能であり、
前記切替機構部は、前記第１作用部が前記第１羽根部を前記突出位置に移動させ、前記第２作用部が前記第２羽根部を隆起する状態に変形させる、
ことを特徴とする洗濯乾燥機。
【請求項６】
請求項４または５に記載の洗濯乾燥機において、
前記第１形態および前記第２形態において、前記切替部を、動かないようロックするためのロック部を、さらに備える、
ことを特徴とする洗濯乾燥機。
【発明の詳細な説明】
【技術分野】
【０００１】
本発明は、洗濯機乾燥機に関する。
【背景技術】
【０００２】
洗濯兼脱水槽の底部に配置されたパルセータを備え、当該パルセータの表面が、扇状で中心から外周部に向かって高くなる略山形の傾斜面と、２つの傾斜面の間を接続する谷部とで構成される洗濯乾燥機が、たとえば、特許文献１に記載されている。特許文献１の洗濯乾燥機では、パルセータが回転すると、衣類が傾斜面を滑って頂点付近で跳ね上げられる。これにより、洗濯物に大きな上下動を与えることが可能となる。
【０００３】
このように、洗濯物に上下動が与えられると、乾燥時には、洗濯兼脱水槽内で衣類が広がりやすくなり、乾燥性能の向上が期待される。
【先行技術文献】
【特許文献】
【０００４】
【特許文献１】特開２００５−８０９４６号公報
【発明の概要】
【発明が解決しようとする課題】
【０００５】
しかしながら、上記洗濯乾燥機では、洗濯時の衣類、即ち洗濯物の動きも上下動を主体とする単純なものとなりやすい。このため、洗濯物に機械力が付与されにくく、洗浄性能が低くなりやすい。
【０００６】
そこで、本発明は、洗浄性能および乾燥性能の向上が期待できる洗濯乾燥機を提供することを目的とする。
【課題を解決するための手段】
【０００７】
本発明の主たる態様に係る洗濯乾燥機は、洗濯物が収容される洗濯槽と、前記洗濯槽の底部に配置されるパルセータと、前記パルセータを駆動する駆動部と、前記洗濯槽内に温風を供給する温風供給部と、を備える。ここで、前記パルセータは、第１羽根部と、第２羽根部と、前記パルセータの表面に前記第１羽根部が出現する第１形態と、前記パルセータの表面に前記第２羽根部が出現する第２形態との間で切り替えを行う切替機構部と、を含む。
【０００８】
この場合に、前記第１羽根部は、前記第２羽根部に比べて水流を発生させる作用に優れる形状を有し、前記第２羽根部は、前記第１羽根部に比べて洗濯物を跳ね上げる作用に優れる形状を有するような構成とすることができる。
【０００９】
あるいは、前記第１羽根部および前記第２羽根部は、前記パルセータの周方向に面する両側面に傾斜を有し、前記第１羽根部の両側面の傾斜が前記第２羽根部の両側面の傾斜よりも急嵯であるような構成とすることができる。
【００１０】
上記の構成によれば、パルセータの形態を、第１形態と第２形態との間で切り替えることにより、良好な洗浄性能と乾燥性能とを確保できることが期待される。
【００１１】
本態様に係る洗濯乾燥機において、前記切替機構部は、第１の位置と第２の位置との間で移動が可能な切替部を含み得る。この場合、前記切替部は、前記切替部が前記第１の位置へ移動したときに前記第１羽根部に作用し、前記第１羽根部を前記パルセータの表面に出現させる第１作用部と、前記切替部が前記第２の位置へ移動したときに前記第２羽根部に作用し、前記第２羽根部を前記パルセータの表面に出現させる第２作用部と、を有する構成とされ得る。
【００１２】
上記の構成によれば、パルセータの形態が第１形態と第２形態との間で切り替えられる構成を、容易に実現することができる。
【００１３】
上記の構成とされた場合、前記パルセータの表面を構成する表面構成部を、さらに備えるような構成が採られ得る。この場合、前記第１羽根部は、前記表面構成部の表面から突出する突出位置と突出しない非突出位置とに移動可能な構成とされ、前記第２羽根部は、前記表面構成部の一部を構成し、平らな状態と山状に隆起する状態とに変形可能な構成とされる。前記切替機構部は、前記第１作用部が前記第１羽根部を前記突出位置に移動させ、前記第２作用部が前記第２羽根部を隆起する状態に変形させる。
【００１４】
このような構成とされると、切替部を第１の位置に移動させることで、第１羽根部を突出位置に移動させてパルセータの表面に出現させることができ、切替部を第２の位置に移動させることで、第２羽根部を隆起する状態に変形させてパルセータの表面に出現させることができる。
【００１５】
上記の構成とされた場合、前記第１形態および前記第２形態において、前記切替部を、動かないようロックするためのロック部を、さらに備えるような構成が採られ得る。
【００１６】
このような構成とされると、第１羽根部が不所望に引っ込んだり、第２羽根部が不所望に引っ込んだりすることを防止できる。
【００１７】
なお、第１形態と第２形態との間での切り替えをユーザが手動で行えるよう、切替機構部には、さらに、前記切替部を前記第１の位置または第２の位置に移動させる手動操作を行うための手動操作部が備えられてもよい。
【発明の効果】
【００１８】
本発明によれば、洗浄性能および乾燥性能の向上が期待できる洗濯乾燥機を提供することができる。
【００１９】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２０】
【図１】図１は、実施の形態に係る、全自動洗濯乾燥機の側面断面図である。
【図２】図２は、実施の形態に係る、全自動洗濯乾燥機の上部の背面斜視図である。
【図３】図３（ａ）および（ｂ）は、それぞれ、実施の形態に係る、第１羽根部が表面に出現した状態のパルセータの斜視図および分解斜視図である。
【図４】図４（ａ）および（ｂ）は、それぞれ、実施の形態に係る、第２羽根部が表面に出現した状態のパルセータの斜視図および分解斜視図である。
【図５】図５（ａ）は、実施の形態に係る、上方から見た、２つの表面構成部の斜視図であり、図５（ｂ）は、実施の形態に係る、下方から見た、２つの表面構成部の斜視図である。
【図６】図６（ａ）は、実施の形態に係る、前方上方から見た第１羽根部の斜視図であり、図６（ｂ）は、実施の形態に係る、後方上方から見た第１羽根部の斜視図である。
【図７】図７は、実施の形態に係る、上方から見たベース部と切替機構部の分解斜視図である。
【図８】図８は、本実施の形態に係る、下方から見たベース部と切替機構部の分解斜視図である。
【図９】図９（ａ）は、実施の形態に係る、切替部をニュートラル位置から第１切替え位置に回動させるときの操作について説明するための図であり、図９（ｂ）は、実施の形態に係る、切替部をニュートラル位置から第２切替え位置に回動させるときの操作について説明するための図である。
【図１０】図１０は、実施の形態に係る、第１羽根部がパルセータの表面に出現した状態のパルセータの要部の断面図である。
【図１１】図１１は、実施の形態に係る、第２羽根部がパルセータの表面に出現した状態のパルセータの要部の断面図である。
【発明を実施するための形態】
【００２１】
以下、本発明の洗濯乾燥機の一実施形態である全自動洗濯乾燥機１について、図面を参照して説明する。
【００２２】
図１は、本実施の形態に係る、全自動洗濯乾燥機１の側面断面図である。図２は、本実施の形態に係る、全自動洗濯乾燥機１の上部の背面斜視図である。
【００２３】
全自動洗濯乾燥機１は、外観を構成する筐体１０を備える。筐体１０は、上下の面が開放された方形筒状の胴体部１１と、胴体部１１の上面を覆う上面板１２と、胴体部１１を支持する脚台１３とを含む。上面板１２には、洗濯物を投入するための外側投入口１４が形成される。外側投入口１４は、開閉自在な上蓋１５により覆われる。
【００２４】
筐体１０内には、外槽２０が、防振装置を有する４本の吊棒２１により弾性的に吊り下げ支持される。外槽２０は、上面が開口するほぼ円筒状の外槽本体２２ａと、外槽本体２２ａの上面を覆うことにより、外槽２０の上面を構成する外槽カバー２２ｂとを含む。外槽２０の上面、即ち外槽カバー２２ｂには、外側投入口１４に対応する位置に、洗濯物を投入するための内側投入口２２ｃが形成される。内側投入口２２ｃは、外槽蓋２３により開閉可能に覆われる。
【００２５】
外槽２０内には、上面が開放されたほぼ円筒状の洗濯脱水槽２４が配される。洗濯脱水槽２４の内周面には、全周に亘って多数の脱水孔２４ａが形成される。洗濯脱水槽２４の上部には、バランスリング２５が設けられる。洗濯脱水槽２４の底部には、パルセータ２６が配される。なお、洗濯脱水槽２４は、本発明の洗濯槽に相当する。
【００２６】
外槽２０の外底部には、洗濯脱水槽２４およびパルセータ２６を駆動するトルクを発生させる駆動ユニット３０が配される。駆動ユニット３０は、駆動モータ３１と、伝達機構部３２と、翼軸３３と、脱水槽軸３４とを含む。翼軸３３はパルセータ２６に接続され、脱水槽軸３４は洗濯脱水槽２４に接続される。伝達機構部３２は、クラッチ機構を有し、当該クラッチ機構による切替操作により、洗い工程およびすすぎ工程では、駆動モータ３１のトルクを翼軸３３のみに伝達してパルセータ２６のみを回転させ、脱水工程では、駆動モータ３１のトルクを翼軸３３および脱水槽軸３４に伝達してパルセータ２６および洗濯脱水槽２４を一体的に回転させる。なお、駆動ユニット３０は、本発明の駆動部に相当する。
【００２７】
外槽２０の外底部には、排水口部２０ａが形成される。排水口部２０ａには、排水バルブ４０が設けられる。排水バルブ４０は、排水ホース４１に接続される。排水バルブ４０が開放されると、洗濯脱水槽２４および外槽２０に溜められた水が排水ホース４１を通じて機外へ排出される。
【００２８】
筐体１０内の後部には、外槽２０の上方に乾燥装置５０と給水装置６０とが配置される。乾燥装置５０と給水装置６０は、胴体部１１の上面後部に配置された固定板１６に取り付けられ、上面板１２により覆われる。
【００２９】
乾燥装置５０は、洗濯脱水槽２４内に温風を供給することにより、洗濯脱水槽２４内に収容された洗濯物を乾燥させる。乾燥装置５０はヒータと送風ファンが配置された循環風路５０ａを含み、循環風路５０ａが、吸気ダクト７１および排気ダクト７２によって外槽２０の内部と接続される。吸気ダクト７１および排気ダクト７２は、フレキシブルなダクトであり、ゴム等の弾性材料で形成され、中間部分に図示しない蛇腹部を有する。ヒータおよび送風ファンの動作により生成した温風が、循環風路５０ａから排出され、吸気ダクト７１を通じて外槽２０内に導入される。さらに、外槽２０から排出された温風が、排気ダクト７２を通じて循環風路５０ａ内に導入される。こうして、循環風路５０ａと外槽２０との間で温風が循環する。
【００３０】
乾燥装置５０は、温風の循環による循環乾燥動作と、それに続く、循環する温風の一部を外部へ排出させる排気乾燥動作とを行う。上面板１２には、多数の排気孔で構成され、温風が排出される排気口５１が設けられる。なお、乾燥装置５０は、本発明の温風供給部に相当する。
【００３１】
給水装置６０は、外部に露出する給水口６１が、水栓から延びる図示しない外部給水ホースに接続される。給水装置６０は給水バルブおよび洗剤容器を含み、給水バルブが開放されることにより、水栓からの水道水が洗剤容器内に収容された洗剤とともに外槽２０内に供給される。給水装置６０は、風呂水ポンプを含んでいてもよい。
【００３２】
全自動洗濯乾燥機１では、各種運転コースの洗濯運転、洗濯乾燥運転または乾燥運転が行われる。洗濯運転は、洗濯のみを行う運転であり、洗い工程、中間脱水工程、すすぎ工程および最終脱水工程が順番に実行される。洗濯乾燥運転は、洗濯から乾燥までを連続的に行う運転であり、最終脱水工程に続いて乾燥工程が実行される。乾燥運転は、乾燥のみを行う運転であり、乾燥工程のみが実行される。
【００３３】
洗い工程およびすすぎ工程では、洗濯脱水槽２４内に水が溜められた状態で、パルセータ２６が右方向および左方向に回転する。パルセータ２６の回転により発生した水流等の作用によって洗濯脱水槽２４内の洗濯物が洗われる、あるいは、すすがれる。
【００３４】
中間脱水工程および最終脱水工程では、洗濯脱水槽２４およびパルセータ２６が一体となって高速回転する。洗濯脱水槽２４に発生する遠心力の作用により、洗濯物が脱水される。
【００３５】
乾燥工程では、最初に内気循環乾燥工程が行われ、それに続いて外気導入乾燥工程が行われる。内気循環乾燥工程では、乾燥装置５０により循環乾燥動作が行われ、循環風路５０ａと外槽２０との間で温風が循環する。乾燥風の循環により、洗濯脱水槽２４内の温度が速やかに上昇する。パルセータ２６が回転し、洗濯物が撹拌されつつ、循環する温風により乾燥される。洗濯脱水槽２４内の温度上昇が進み、洗濯物から水分が蒸発して温風に水分が多く含まれるようになると、外気導入乾燥工程に切り替えられる。外気導入乾燥工程では、乾燥装置５０により排気乾燥動作が行われ、循環風路５０ａに外気が導入されるとともに、循環風路５０ａから循環する温風の一部が排気される。洗濯物から蒸発した水分が、効果的に外槽２０内から筐体１０の外に排出され、外槽２０内が除湿されやすくなるため、洗濯物の乾燥が促進される。
【００３６】
次に、パルセータ２６の構成にいて詳細に説明する。
【００３７】
図３（ａ）および（ｂ）は、それぞれ、本実施の形態に係る、第１羽根部２００が表面に出現した状態のパルセータ２６の斜視図および分解斜視図である。図４（ａ）および（ｂ）は、それぞれ、本実施の形態に係る、第２羽根部３００が表面に出現した状態のパルセータ２６の斜視図および分解斜視図である。
【００３８】
パルセータ２６は、２つの表面構成部１００と、４つの第１羽根部２００と、２つの第２羽根部３００と、ベース部４００と、切替機構部５００とを備える。２つの表面構成部１００は、パルセータ２６の表面を構成する。第１羽根部２００は、表面構成部１００の表面から突出する突出位置と突出しない非突出位置とに移動可能である。第２羽根部３００は、表面構成部１００の一部を構成し、平らな状態と山状に隆起する状態とに変形可能である。ベース部４００には、その表面である配置面４０１に２つの表面構成部１００が配置されるともに、切替機構部５００が装着される。切替機構部５００は、摘まみ部５４０の回動操作に応じて、図３（ａ）および（ｂ）に示すような、パルセータ２６の表面に第１羽根部２００が出現する第１形態と、図４（ｂ）および（ｂ）に示すような、パルセータ２６の表面に第２羽根部３００が出現する第２形態との間で切り替えを行う。
【００３９】
図５（ａ）は、本実施の形態に係る、上方から見た、２つの表面構成部１００の斜視図であり、図５（ｂ）は、本実施の形態に係る、下方から見た、２つの表面構成部１００の斜視図である。
【００４０】
２つの表面構成部１００は、ポリプロピレン等の樹脂材料により形成され、ほぼ半ドーナツ盤状を有する。各表面構成部１００は、第１羽根構成部材１１０と、第２羽根構成部材１２０と、第１羽根保持部材１３０と、第２羽根保持部材１４０とを含む。表面構成部１００の周方向において、第１羽根構成部材１１０と第２羽根構成部材１２０は、第１ヒンジ部１５０により折曲可能に連結され、第１羽根構成部材１１０と第１羽根保持部材１３０は、第２ヒンジ部１６０により折曲可能に連結され、第２羽根構成部材１２０と第２羽根保持部材１４０は、第３ヒンジ部１７０により折曲可能に連結される。
【００４１】
表面構成部１００は、その表面が周方向における両端から中央である第１ヒンジ部１５０の部分に向かって緩やかに上り傾斜し且つ径方向における内側から外側に向かって緩やかに上り傾斜するように構成される。表面構成部１００の表面には、全体に亘って多数の通水孔１０１が形成される。
【００４２】
第１羽根構成部材１１０と第２羽根構成部材１２０とにより、第２羽根部３００が構成される。即ち、第１羽根構成部材１１０と第２羽根構成部材１２０とが第１ヒンジ部１５０を中心に折れ曲がり第１羽根保持部材１３０および第２羽根保持部材１４０に対して傾斜するように立ち上がることにより、図４（ａ）および（ｂ）のように、表面構成部１００に第２羽根部３００が形成される。第２羽根構成部材１２０の裏面には、下方に突出するレバー片１２１が形成される。
【００４３】
第１羽根保持部材１３０および第２羽根保持部材１４０は、第１羽根部２００を回動自在に保持する。第１羽根保持部材１３０には、第１羽根部２００に対応する形状を有し、第１羽根部２００が出入りする開口部１３１が設けられる。また、第１羽根保持部材１３０の裏面には、開口部１３１における長手方向に延びる一方の縁部側に、開口部１３１の両側に分かれるように一対の軸受部１３２が設けられる。軸受部１３２には軸孔１３２ａが形成される。さらに、第１羽根保持部材１３０の裏面には、２つの取付ボス１３３が設けられる。
【００４４】
第２羽根保持部材１４０には、第１羽根保持部材１３０と同様、開口部１４１と軸孔１４２ａを有する軸受部１４２とが設けられる。また、第２羽根保持部材１４０には、外周縁部に、下方に突出し周方向に延びるガイドリブ１４３が設けられる。ガイドリブ１４３は、表面構成部１００と同心の円弧状を有する。さらに、第２羽根保持部材１４０には、第２羽根構成部材１２０側と反対側の端部に嵌合部１４４が設けられる。嵌合部１４４には、上下２枚の板部材１４４ａ、１４４ｂによりの周方向に開口する嵌合溝１４５が形成される。また、嵌合部１４４の下側の板部材１４４ｂの先端部から垂下するようにストッパ部１４６が設けられる。
【００４５】
図６（ａ）は、本実施の形態に係る、前方上方から見た第１羽根部２００の斜視図であり、図６（ｂ）は、本実施の形態に係る、後方上方から見た第１羽根部２００の斜視図である。
【００４６】
４つの第１羽根部２００は、ポリプロピレン等の樹脂材料により、裏側が中空となるほぼ三角柱状に形成される。各第１羽根部２００は、ほぼ三角形状の２つの側面２１０と、２つの側面２１０の間に設けられる第１傾斜面２２０および第２傾斜面２３０とを含み、２つの側面２１０の間のもう一つの一面が開放されている。２つの側面２１０には、第１傾斜面２２０と接しない角部に、軸孔２４１を有する一対の軸取付部２４０が設けられる。第１傾斜面２２０は、軸孔２４１を曲率中心とする曲面に形成される。また、第１傾斜面２２０は、第１羽根部２００の左右方向においてもやや凸湾曲する。第２傾斜面２３０は、上部２３１が平坦面に形成され、下部２３２が軸孔２４１の曲率中心とする曲面に形成される。
【００４７】
第１羽根部２００には、２つの側面２１０の下端部と第１傾斜面２２０の下端部とに亘ってフランジ部２５０が形成される。フランジ部２５０における第１傾斜面２２０側の端部には、下方に突出し第１羽根部２００の左右方向に延びるリブ状の昇降部２５１が形成される。
【００４８】
４つの第１羽根部２００が表面構成部１００に取り付けられる際には、第１羽根部２００の一対の軸取付部２４０の軸孔２４１が表面構成部１００一対の軸受部１３２、１４２の軸孔１３２ａ、１４２ａに合されて、これら軸孔２４１、１３２ａ、１４２ａに図示しないシャフトが通される。第１羽根部２００は、シャフトを中心に回動可能となり、図３（ａ）および（ｂ）のように、表面構成部１００の表面から突出する突出位置と、図４（ａ）および（ｂ）のように、表面構成部１００の表面から突出しない非突出位置との間で移動可能となる。第１羽根部２００が非突出位置にあるとき、第２傾斜面２３０は、表面構成部１００の表面とほぼ面一となり、表面の一部となる。
【００４９】
図７は、本実施の形態に係る、上方から見たベース部４００と切替機構部５００の分解斜視図である。図８は、本実施の形態に係る、下方から見たベース部４００と切替機構部５００の分解斜視図である。
【００５０】
ベース部４００は、ポリプロピレン等の樹脂材料により形成され、ほぼ円盤状を有する。ベース部４００の表面は、２つの表面構成部１００が配置される配置面４０１となる。配置面４０１の外周縁部には、２つの外周壁部４０２が設けられる。各外周壁部４０２は、各表面構成部１００の形状に対応するよう、両端から中央に向かって徐々に高くなる形状を有する。配置面４０１には、切替機構部５００を装着するための装着凹部４０３が設けられる。装着凹部４０３は、配置面４０１の中央部において円形に凹むハブ収容部４１０と、ハブ収容部４１０に繋がる２つの第１カム収容部４２０および２つの第２カム収容部４３０とで構成される。２つの第１カム収容部４２０は、扇状に凹み、ハブ収容部４１０を挟んで対峙する。２つの第２カム収容部４３０は、扇状に凹み、２つの第１カム収容部４２０が並ぶ方向に直交する方向において、ハブ収容部４１０を挟んで対峙する。
【００５１】
配置面４０１は、一方側の第１カム収容部４２０と第２カム収容部４３０との間と、他方側の第１カム収容部４２０と第２カム収容部４３０との間に、２つの表面構成部１００が配置されない非配置領域４０１ａを含む。第１カム収容部４２０および第２カム収容部４３０は、周方向の両側面のうち、非配置領域４０１ａ側の側面が開放され、他の側面が壁部によって閉鎖される。非配置領域４０１ａの下方には、第１カム収容部４２０と第２カム収容部４３０とを繋ぐ空間が形成される。また、配置面４０１には、各第１カム収容部４２０の外側に、それぞれ、ガイド溝４０４が形成される。ガイド溝４０４は、表面構成部１００のガイドリブ１４３と同じ曲率の円弧状を有し、ガイドリブ１４３よりも長い。
【００５２】
ハブ収容部４１０の底面には、中央部に、上方に突出する回転軸部４１１が設けられる。回転軸部４１１には、３つの取付ボス４１２が設けられる。各取付ボス４１２には、取付穴４１２ａが形成される。また、ハブ収容部４１０の底面には、外周縁部に、環状の摺動リブ４１３が設けられる。第１カム収容部４２０および第２カム収容部４３０の底面には、内側と外側とにそれぞれ、ベース部４００と同心の円弧状を有する摺動リブ４２１、４３１が設けられる。
【００５３】
ベース部４００には、配置面４０１および装着凹部４０３の底面の全体に亘り、表裏を貫通する多数の通水孔４０５が形成される。
【００５４】
ベース部４００の裏面には、中央部に、円筒状のボス装着部４０６が形成される。ボス装着部４０６には、金属製の取付ボス４４０が装着される。取付ボス４４０には、翼軸３３が取り付けられる。また、ベース部４００の裏面には、中央側から外周側へと放射状に延びる複数の裏羽根４０７が設けられる。図１には図示されていないが、洗濯脱水槽２４の底部には、裏羽根４０７が収容されるポンプ室が設けられ、洗濯脱水槽２４の内壁面に沿うよう上下に延びる循環水路がポンプ室に繋がる。循環水路の先端部には吐出口が設けられる。裏羽根４０７の回転により、ポンプ室内の水が、循環水路へと送られ、吐出口から洗濯脱水槽２４の内側に向かって放出される。これにより、洗濯脱水槽２４内の上側に位置する洗濯物に循環水が掛けられる。このとき、ポンプ室内には、表面構成部１００の通水孔１０１およびベース部４００の通水孔４０５を通って、水が供給される。なお、吐出口にリントフィルタが装着されている場合がある。この場合、循環水に含まれるリントがリントフィルタに捕集される。
【００５５】
切替機構部５００は、切替部５１０と、ストッパ５２０と、キャップ５３０とを備える。切替部５１０、ストッパ５２０およびキャップ５３０は、ポリプロピレン等の樹脂材料により形成される。
【００５６】
切替部５１０は、摘まみ部５４０と、ハブ部５５０と、２つの第１カム部５６０と、２つの第２カム部５７０とが一体に形成された構成を有する。摘まみ部５４０は、ほぼ円筒状を有し、中央部が開口する。摘まみ部５４０の開口部５４１は、上開口部５４２と、上開口部５４２より僅かに内径の小さな下開口部５４３とを含み、上開口部５４２と下開口部５４３との境界に段差面５４４を有する。摘まみ部５４０の外周面５４５には、ユーザが摘まみ部５４０を掴みやすいよう、複数の楕円形の凹部５４６が周方向に並ぶように形成される。
【００５７】
ハブ部５５０は、摘まみ部５４０の下端部に設けられた円環状のフランジ部５５１と、フランジ部５５１の外周縁から立ち上がる円環状の外周壁部５５２とを含む。フランジ部５５１には、表裏を貫通する複数の通水孔５５３が形成される。外周壁部５５２に、２つの第１カム部５６０と、２つの第２カム部５７０とが連結される。
【００５８】
２つの第１カム部５６０は、ハブ部５５０を挟んで対峙し、互いが同じ回転方向を向く。２つの第２カム部５７０は、２つの第１カム部５６０が並ぶ方向に直交する方向において、ハブ部５５０を挟んで対峙し、互いが同じ回転方向を向く。
【００５９】
各第１カム部５６０は、傾斜面５６１と、傾斜面５６１の頂上から水平方向に延びる平坦な支え面５６２と、支え面５６２に対して傾斜面５６１と反対側に設けられ、垂直に立ち上がる押圧面５６３とを含む。各第２カム部５７０は、傾斜面５７１と、傾斜面５７１の頂上から水平方向に延びる平坦な支え面５７２と、支え面５７２に対して傾斜面５７１と反対側に設けられ、水平方向に張出す張出部５７３とを含む。張出部５７３には、表裏を貫通する複数の通水孔５７４が形成される。なお、傾斜面５６１、５７１は、本発明の第１作用部に相当し、押圧面５６３は、本発明の第２作用部に相当する。
【００６０】
ストッパ５２０およびキャップ５３０は、ほぼ円盤状に形成される。ストッパ５２０およびキャップ５３０の外径は、摘まみ部５４０の上開口部５４２の内径とほぼ等しくされる。ストッパ５２０には、３つのネジ孔５２１が形成される。
【００６１】
切替部５１０とベース部４００との間に、ロック機構部６００が設けられる。ロック機構部６００は、第１形態および第２形態において、切替部５１０を、動かないようロックするためのロック部６１０と、ロック部６１０による切替部５１０のロックを解除する操作を行うための解除操作部６２０とを備える。
【００６２】
ロック部６１０は、ベース部４００のハブ収容部４１０の底面に、周方向に並ぶように設けられた第１係合突起部６１１および第２係合突起部６１２と、切替部５１０のハブ部５５０の裏面に、下方に突出するように設けられた係合リブ６１３とを含む。第１係合突起部６１１および第２係合突起部６１２は、それらの上部が山形に形成される。第１係合突起部６１１と第２係合突起部６１２との間には、係合リブ６１３が嵌り込むことができる係合溝部６１４が設けられる。ハブ収容部４１０の底面には、第１係合突起部６１１および第２係合突起部６１２の両側に円弧状のスリット部６１５が形成される。これにより、ハブ収容部４１０の底面における、２つのスリット部６１５の間の領域が、下方に撓むことが可能となり、第１係合突起部６１１および第２係合突起部６１２が下方に移動可能となる。
【００６３】
解除操作部６２０は、切替部５１０のハブ部５５０におけるフランジ部５５１に、周方向に並ぶように設けられる第１解除ボタン６２１および第２解除ボタン６２２を含む。第１解除ボタン６２１および第２解除ボタン６２２は、それらの裏面に突起部６２１ａ、６２２ａを有する。第１解除ボタン６２１と第２解除ボタン６２２との間に係合リブ６１３が位置する。フランジ部５５１には、第１解除ボタン６２１および第２解除ボタン６２２を囲むようにＵ字状のスリット部６２３が形成される。これにより、フランジ部５５１においてスリット部６２３に囲まれた領域が、下方に撓むことが可能となり、第１解除ボタン６２１および第２解除ボタン６２２が下方に移動可能となる。
【００６４】
切替機構部５００が、ベース部４００に取り付けられる際には、まず、切替部５１０が、上方から装着凹部４０３内に収容される。即ち、摘まみ部５４０およびハブ部５５０がハブ収容部４１０に収容され、２つの第１カム部５６０が２つの第１カム収容部４２０に収容され、２つの第２カム部５７０が２つの第２カム収容部４３０に収容される。摘まみ部５４０の開口部５４１に回転軸部４１１が挿入され、下開口部５４３の内周面が回転軸部４１１の外周面と対向する。次に、回転軸部４１１の上端部に、上方からストッパ５２０が取り付けられる。このとき、ストッパ５２０のネジ孔５２１と取付ボス４１２の取付穴４１２ａとが一致する。図示しないネジがネジ孔５２１を通されて取付穴４１２ａに止められることにより、ストッパ５２０が回転軸部４１１に固定される。ストッパ５２０の外周部が、摘まみ部５４０の外周縁部が開口部５４１の段差面５４４の上方に重なることで、切替部５１０の上方への動きが規制され、切替部５１０が上方に抜けなくなる。最後に、摘まみ部５４０の開口部５４１にキャップ５３０が取り付けられ、開口部５４１がキャップ５３０で覆われる。
【００６５】
切替部５１０は、ベース部４００に対して回動可能となる。切替部５１０の回動に伴い、各第１カム部５６０が各第１カム収容部４２０内を移動し、各第２カム部５７０が各第２カム収容部４３０内を移動する。切替部５１０が回動するとき、ハブ部５５０の裏面がハブ収容部４１０の摺動リブ４１３上を摺動する。また、第１カム部５６０の裏面が第１カム収容部４２０の摺動リブ４２１上を摺動し、第２カム部５７０の裏面が第２カム収容部４３０の摺動リブ４３１上を摺動する。これにより、切替部５１０とベース部４００との間の摺動抵抗が小さくなるので、切替部５１０がベース部４００に対してスムーズに回転する。なお、切替部５１０における摺動リブ４１３、４２１、４３１との摺動面に、ステンレスなど摩擦係数が小さな材料からなる摺動板が取り付けられてもよい。
【００６６】
切替機構部５００が装着されたベース部４００の配置面４０１に、２つの表面構成部１００が取り付けられる。このとき、各表面構成部１００には、４つの第１羽根部２００が取り付けられている。配置面４０１には、各表面構成部１００の第１羽根保持部材１３０の２つの取付ボス１３３に対応する位置に２つの取付穴４０８が設けられており、各取付ボス１３３が各取付穴４０８に図示しないネジで取り付けられることにより、第１羽根保持部材１３０が配置面４０１に固定される。また、各表面構成部１００の第２羽根保持部材１４０では、嵌合部１４４の嵌合溝１４５が、第１カム収容部４２０における非配置領域４０１ａ側の縁部４２０ａに嵌合し（図１０参照）、ガイドリブ１４３が、配置面４０１の各ガイド溝４０４に収容される。こうして、各第２羽根保持部材１４０は、配置面４０１から上方向に外れず、ガイドリブ１４３がガイド溝４０４内を案内されることにより、配置面４０１に沿って周方向に移動可能となる。このようにして、パルセータ２６が完成する。
【００６７】
ユーザは、摘まみ部５４０を回動操作することにより、切替部５１０を、ベース部４００に対し、ニュートラル位置を挟んで第１切替え位置と第２切替え位置との間で回動させることができる。ニュートラル位置では、４つの第１羽根部２００および２つの第２羽根部３００の何れもが、パルセータ２６の表面に出現しない。第１切替え位置では、４つの第１羽根部２００がパルセータ２６の表面に出現し、第２切替え位置では、２つの第２羽根部３００がパルセータ２６の表面に出現する。
【００６８】
図９（ａ）は、本実施の形態に係る、切替部５１０をニュートラル位置から第１切替え位置に回動させるときの操作について説明するための図であり、図９（ｂ）は、本実施の形態に係る、切替部５１０をニュートラル位置から第２切替え位置に回動させるときの操作について説明するための図である。
【００６９】
切替部５１０がニュートラル位置にあるとき、図９（ａ）および（ｂ）に示すように、係合リブ６１３が係合溝部６１４に嵌り込んだ状態にあり、切替部５１０は、左右方向に回動させることができない。
【００７０】
切替部５１０をニュートラル位置から第１切替え位置に回動させる場合、図９（ａ）に示すように、ユーザは、第１解除ボタン６２１を押し下げる。第１係合突起部６１１が第１解除ボタン６２１の突起部６２１ａに押され、第１係合突起部６１１と第２係合突起部６１２とが下方へ移動し、係合リブ６１３が係合溝部６１４から離脱する。この状態で、ユーザが、摘まみ部５４０を、上方から見て右方向に回動させると、切替部５１０が右方向に回動し、係合リブ６１３が第１係合突起部６１１の山形の上部に当接して、それを乗り越える。係合リブ６１３が第１係合突起部６１１を超えた位置まで移動すると、切替部５１０が第１切替え位置に到達する。係合リブ６１３は、第１係合突起部６１１の下部の側面と係合する。これにより、切替部５１０は、ロックされた状態となり、ニュートラル位置に戻る方向に動かなくなる。なお、切替部５１０をニュートラル位置に戻す場合、ユーザは、第２解除ボタン６２２を押し下げ、第１係合突起部６１１を下方へ移動させることで、係合リブ６１３と第１係合突起部６１１との係合を解除させることができ、ニュートラル位置へ向けて、切替部５１０を回動させることができる。
【００７１】
同様に、切替部５１０をニュートラル位置から第２切替え位置に回動させる場合、図９（ｂ）に示すように、ユーザは、第２解除ボタン６２２を押し下げる。第２係合突起部６１２が第２解除ボタン６２２の突起部６２２ａに押され、第２係合突起部６１２と第１係合突起部６１１とが下方へ移動し、係合リブ６１３が係合溝部６１４から離脱する。この状態で、ユーザが、摘まみ部５４０を、上方から見て左方向に回動させると、切替部５１０が左方向に回動し、係合リブ６１３が第２係合突起部６１２の山形の上部に当接して、それを乗り越える。係合リブ６１３が第２係合突起部６１２を超えた位置まで移動すると、切替部５１０が第２切替え位置に到達する。係合リブ６１３は、第２係合突起部６１２の下部の側面と係合する。これにより、切替部５１０は、ロックされた状態となり、ニュートラル位置に戻る方向に動かなくなる。なお、切替部５１０をニュートラル位置に戻す場合、ユーザは、第１解除ボタン６２１を押し下げ、第２係合突起部６１２を下方へ移動させることで、係合リブ６１３と第２係合突起部６１２との係合を解除させることができ、ニュートラル位置へ向けて、切替部５１０を回動させることができる。
【００７２】
次に、第１羽根部２００がパルセータ２６の表面に出現する第１形態と第２羽根部３００がパルセータ２６の表面に出現する第２形態とに切り替えられるときの切替機構部５００の動作について説明する。
【００７３】
図１０は、本実施の形態に係る、第１羽根部２００がパルセータ２６の表面に出現した状態のパルセータ２６の要部の断面図である。図１１は、本実施の形態に係る、第２羽根部３００がパルセータ２６の表面に出現した状態のパルセータ２６の要部の断面図である。
【００７４】
切替部５１０がニュートラル位置から第１切替え位置へ回動すると、図３（ｂ）に示すように、各第１カム収容部４２０内において、各第１カム部５６０が開放された側面の近傍に移動し、各第２カム収容部４３０内において、各第２カム部５７０が閉鎖された側面の近傍に移動する。図１０に示すように、第１カム収容部４２０内において、実線矢印のように、第１カム部５６０が、開放された側面側へ移動し、第１羽根部２００を押すと、破線矢印に示すように、第１羽根部２００の昇降部２５１が第１カム部５６０の傾斜面５６１を登り、これに伴って、第１羽根部２００が上方に回動し、一点鎖線に示すように、第１羽根部２００が表面構成部１００の表面から突出する。切替部５１０が第１切替え位置に到達すると、昇降部２５１が傾斜面５６１を登り切って支え面５６２に到達する。これにより、第１羽根部２００は、突出位置に達し、表面構成部１００の表面に対して最も突出した状態となる。この状態になると、第１羽根部２００のフランジ部２５０が表面構成部１００の裏面に当り、これ以上の第１羽根部２００の上方への回動が止められる。また、昇降部２５１が、支え面５６２によって、上方、即ち突出方向に支えられる。これにより、下方に押されても、第１羽根部２００が引っ込んでしまうことが防止される。
【００７５】
切替部５１０が第１切替え位置に到達すると、第１カム部５６０は、開放された側面に位置する表面構成部１００のストッパ部１４６に当接するため、切替部５１０は、これ以上移動しない。上述のように、切替部５１０は、ロック部６１０によりロックされるため、ニュートラル位置側へも移動しない。
【００７６】
同様に、第２カム収容部４３０においても、第２カム部５７０が閉鎖された側面側へ移動して、昇降部２５１が第２カム部５７０の傾斜面５７１を登り支え面５７２に到達することで、第１羽根部２００が表面構成部１００の表面から突出する。
【００７７】
一方、切替部５１０がニュートラル位置から第２切替え位置へ回動すると、図４（ｂ）に示すように、各第１カム収容部４２０内において、各第１カム部５６０が閉鎖された側面の近傍に移動し、第２カム収容部４３０内において、各第２カム部５７０が開放された側面を少し超えた位置まで移動する。図１１に示すように、第１カム収容部４２０内において、実線矢印のように、第１カム部５６０が、閉鎖された側面側へ移動すると、第１カム部５６０の押圧面５６３が、第２羽根構成部材１２０のレバー片１２１に当接し、破線矢印のように、レバー片１２１を押す。第２羽根構成部材１２０が第２羽根保持部材１４０とともにレバー片１２１が押された方向へ移動し、第１羽根構成部材１１０と第２羽根構成部材１２０とが第１ヒンジ部１５０を中心に折れ曲がる。これにより、表面構成部１００に第２羽根部３００が形成される。
【００７８】
切替部５１０が第２切替え位置に到達すると、第１カム部５６０は、閉鎖された側面の壁部４２０ｂに当接するため、切替部５１０は、これ以上移動しない。上述のように、切替部５１０は、ロック部６１０によりロックされるため、ニュートラル位置側へも移動しない。
【００７９】
なお、各第２カム収容部４３０内において、各第２カム部５７０は、支え面５７２および張出部５７３が非配置領域４０１ａの下側に入り込む。これにより、非配置領域４０１ａが支え面５７２および張出部５７３により下方から支えられる。
【００８０】
ユーザは、洗濯運転を行う場合に、摘まみ部５４０を回動操作し、図３（ａ）のように、パルセータ２６の形態を第１形態に切り替え、４つの第１羽根部２００をパルセータ２６の表面に出現させる。洗濯運転において、第１形態のパルセータ２６により、衣類の洗いおよびすすぎが行われる。
【００８１】
第１羽根部２００は、パルセータ２６の周方向に面する両側面である第１傾斜面２２０および第２傾斜面２３０の傾斜が、第２羽根部３００における、パルセータ２６の周方向に面する両側面である第１羽根構成部材１１０および第２羽根構成部材１２０の傾斜よりも急嵯である。よって、第１羽根部２００は、第２羽根部３００に比べて、洗濯脱水槽２４内の水をパルセータ２６の回転方向に強く押すことができるので、水流を発生させる作用に優れ、衣類の洗濯に向く。
【００８２】
よって、第１形態のパルセータ２６により、良好な水流を発生させて洗濯物の洗いおよびすすぎを行うことで、良好な洗浄性能を確保できる。
【００８３】
ユーザは、乾燥運転を行う場合に、摘まみ部５４０を回動操作し、図４（ａ）のように、パルセータ２６の形態を第２形態に切り替え、２つの第２羽根部３００をパルセータ２６の表面に出現させる。乾燥運転において、第２形態のパルセータ２６により、衣類の乾燥が行われる。
【００８４】
第２羽根部３００は、第１羽根構成部材１１０および第２羽根構成部材１２０の傾斜が、第１羽根部２００の第１傾斜面２２０および第２傾斜面２３０の傾斜よりも緩やかである。よって、第２羽根部３００は、第１羽根部２００に比べて、パルセータ２６を回転させたときに衣類が傾斜面、即ち第１羽根構成部材１１０および第２羽根構成部材１２０を上昇しやすいので、洗濯物を跳ね上げる作用に優れ、衣類の乾燥に向く。
【００８５】
よって、第２形態のパルセータ２６により衣類の乾燥を行うことで、衣類が良好に跳ね上げられて拡がりやすくなり、拡がった衣類に温風が当たりやすくなるので、良好な乾燥性能を確保できる。
【００８６】
特に、パルセータ２６は、表面構成部１００の表面が、第２羽根部３００に向かって周方向に緩やかに上り傾斜する構成であるため、パルセータ２６が回転したときに、より長い傾斜スロープで衣類を上昇させることができる。よって、パルセータ２６の回転によって、衣類が一層、跳ね上がりやすい。
【００８７】
なお、洗濯乾燥運転を行う場合、ユーザは、衣類の種類や汚れ具合に応じて、パルセータ２６の形態を、第１形態または第２形態に切り替えるとよい。あるいは、ユーザは、運転開始当初は第１形態とし、乾燥工程に入る前に運転を一時中断して第２形態に切り替えることもできる。この場合、全自動洗濯乾燥機１が、乾燥工程に入る前に自動で運転を一時中断し、報知を行うような構成とされてもよい。
【００８８】
＜実施の形態の効果＞
以上、本実施の形態によれば、パルセータ２６の形態を、パルセータ２６の表面に衣類の洗濯に向く第１羽根部２００が出現する第１形態と、パルセータ２６の表面に衣類の乾燥に向く第２羽根部３００が出現する第２形態との間で切り替えることができるので、良好な洗浄性能と乾燥性能とを確保することができる。
【００８９】
また、本実施の形態によれば、切替機構部５００が、第１切替え位置と第２切替え位置との間で回動可能な切替部５１０を含み、切替部５１０の第１カム部５６０が、切替部５１０が第１切替え位置へ移動したときに第１羽根部２００に作用し、第１羽根部２００をパルセータ２６の表面に出現させる傾斜面５６１と、切替部５１０が第２の切替え位置へ移動したときに第２羽根部３００に作用し、第２羽根部３００をパルセータ２６の表面に出現させる押圧面５６３とを有するような構成とされているので、パルセータ２６の形態が第１形態と第２形態との間で切り替えられる構成を、容易に実現することができる。
【００９０】
さらに、本実施の形態によれば、パルセータ２６の表面を構成する表面構成部１００を備え、第１羽根部２００は、表面構成部１００の表面から突出する突出位置と突出しない非突出位置とに移動可能であり、第２羽根部３００は、表面構成部１００の一部を構成し、平らな状態と山状に隆起する状態とに変形可能であり、切替機構部５００は、第１カム部５６０の傾斜面５６１が第１羽根部２００を突出位置に移動させ、第１カム部５６０の押圧面５６３が第２羽根部３００を隆起する状態に変形させるような構成とされているので、切替部５１０を第１切替え位置に移動させることで、第１羽根部２００を突出位置に移動させてパルセータ２６の表面に出現させることができ、切替部５１０を第２切替え位置に移動させることで、第２羽根部３００を隆起する状態に変形させてパルセータ２６の表面に出現させることができる。
【００９１】
さらに、本実施の形態によれば、ロック部６１０によって、第１羽根部２００および第２羽根部３００が引っ込む方向に回動しないよう、切替部５１０をロックすることができるので、洗濯時に衣類や水に押されて第１羽根部２００が不所望に引っ込んだり、乾燥時に衣類に押されて第２羽根部３００が不所望に引っ込んだりすることを防止できる。
【００９２】
以上、本発明の実施の形態について説明したが、本発明は、上記実施の形態等によって何ら制限されるものではなく、また、本発明の実施の形態も、上記以外に種々の変更が可能である。
【００９３】
たとえば、パルセータ２６に含まれる第１羽根部２００および第２羽根部３００の個数および形状は、上記実施の形態に示されたものでなくともよく、適宜、変更することができる。
【００９４】
また、上記実施の形態では、第１羽根部２００は、表面構成部１００の表面から突出する突出位置と突出しない非突出位置とに移動可能な構成とされ、第２羽根部３００は、平らな状態と山状に隆起する状態とに変形可能な構成とされた。しかしながら、第１羽根部２００が、平らな状態と山状に隆起する状態とに変形可能な構成とされてもよく、第２羽根部３００が突出位置と非突出位置とに移動可能な構成とされてもよい。あるいは、第１羽根部２００と第２羽根部３００の双方が、突出位置と非突出位置とに移動可能な構成とされてもよく、あるいは、平らな状態と山状に隆起する状態とに変形可能な構成とされてもよい。
【００９５】
さらに、上記実施の形態では、手動操作部である摘まみ部５４０を回動操作させることにより、切替部５１０を手動で回動させる構成とされた。しかしながら、これに限らず、モータ等の駆動部により、切替部５１０を自動で回動させるような構成が採られてもよい。
【００９６】
さらに、上記実施の形態では、切替部５１０を回動させる位置の一つとして、ニュートラル位置が設けられたが、ニュートラル位置が設けられなくてもよい。この場合、切替部５１０は、ニュートラル位置を経由することなく、第１切替え位置と第２切替え位置との間を回動する。
【００９７】
この他、本発明の実施の形態は、特許請求の範囲に示された技術的思想の範囲内において、適宜、種々の変更が可能である。
【符号の説明】
【００９８】
１  全自動洗濯乾燥機（洗濯乾燥機）
２４  洗濯脱水槽（洗濯槽）
２６  パルセータ
３０  駆動ユニット（駆動部）
５０  乾燥装置（温風供給部）
１００  表面構成部
２００  第１羽根部
３００  第２羽根部
５００  切替機構部
５１０  切替部
５６１  傾斜面（第１作用部）
５６３  押圧面（第２作用部）
５７１  傾斜面（第１作用部）
６１０  ロック部
【図１】
2019115457.tif 000003
【図２】
2019115457.tif 000004
【図３】
2019115457.tif 000005
【図４】
2019115457.tif 000006
【図５】
2019115457.tif 000007
【図６】
2019115457.tif 000008
【図７】
2019115457.tif 000009
【図８】
2019115457.tif 000010
【図９】
2019115457.tif 000011
【図１０】
2019115457.tif 000012
【図１１】
2019115457.tif 000013